(57)【要約】      （修正有）【課題】ゴミを入れるたびに、毎回蓋を取る手間が掛からず、ゴミ袋の中にゴミがどれ位入っているか外から一目瞭然に見えて、ゴミが一杯になると簡単にゴミ袋を取り出せることができるゴミ袋用蓋付きスタンドを提供する。【解決手段】角パイプをトラック形状に形成した枠２個を上下に配置し、前記上下の枠の間に２本の角パイプ状柱を対向するように接続し、上下の枠を連接してスタンド部を形成し、上の枠にトラック形状の蓋板を載せる。蓋板は、外周部と内蓋部を形成し、内蓋部の外周のうち、左右円弧部の頂点では５ｍｍ位を削り、蓋板の外周部と内蓋部との間に隙間を形成する。内蓋部の裏面で直線部の中央両端に、略三角形の中空部を有する略三角形の突起部を固着し、中空部に軸部を可動する程度に貫通し、軸部の両端を外周部の裏面に固着する。【選択図】図１
0003155512.tif 000002
【実用新案登録請求の範囲】
【請求項１】
本考案は、角パイプをトラック形状に形成した枠２個を上下に配置し、前記トラック形状の上下の枠の間に２本の角パイプ状柱を対向するように接続し、上下の枠を連接してスタンド部を形成し、スタンド部の上の枠にトラック形状の蓋板を載せ、使用の際、上の枠と前記蓋板との間に開いたビニール製ゴミ袋の上端を挟むように使用し、前記蓋板は、外周を巾３ｃｍ位で切り落として、蓋板の外周部と内蓋部を形成し、トラック形状の内蓋部の外周のうち、左右円弧部の頂点では５ｍｍ位を削り、内蓋部の外周の直線部はほとんど削らず、内蓋部の外周全体をなめらかな形状となるように削り、蓋板の外周部と内蓋部との間に隙間を形成し、内蓋部の裏面で直線部の中央両端に、略三角形の中空部を有する略三角形の突起部を固着し、内蓋部の裏面に直方体で棒状の軸部を配置し、前記突起部の略三角形の中空部に前記軸部を可動する程度に貫通し、軸部の両端を外周部の裏面に固着し、内蓋部の表面を手で押して内蓋部を１０度位傾けても、内蓋部の裏面に前記突起部を固着しているので内蓋部は自然に水平に戻り、内蓋部の表面を手で押して内蓋部を８０度位まで傾けると、内蓋部の前記突起部の略三角形の中空部が、外周部に固着した前記直方体の軸部の角に当たって、内蓋部はそれ以上回転しないようにしたことを特徴とするゴミ袋用蓋付きスタンド。
【請求項２】
スタンド部を形成する角パイプを断面コの字状の金属板で形成した請求項１記載のゴミ袋用蓋付きスタンド。
【請求項３】
スタンド部を構成する上の枠、下の枠および２本の柱をねじ止めで組み立てるようにした請求項１記載のゴミ袋用蓋付きスタンド。
【考案の詳細な説明】
【技術分野】
【０００１】
本考案は、ビニール製ゴミ袋を保持する蓋付きスタンドに関するものである。
【背景技術】
【０００２】
従来、ビニール製ゴミ袋のスタンドとしては、４５Ｌ用ポリバケツで、ポリバケツの中に市販のビニール製ゴミ袋を入れてゴミ箱として利用していた。
【先行技術文献】
【特許文献】
【０００３】
【特許文献１】特開２００９−１１３８９６号公報
【特許文献２】特開２００９−１２８７９号公報
【考案の開示】
【考案が解決しようとする課題】
【０００４】
従来、ポリバケツの中に市販のビニール製ゴミ袋を入れて、蓋をして利用してきた。まず、ゴミを入れるたびに、毎回蓋を取って、手間であった。また、ゴミが一杯になって、ゴミ袋を上から取り出すとき、ポリバケツとの間に少し抵抗があって取り出しにくいことがあった。さらに、ゴミ袋をポリバケツの中に入れるので、どれだけのゴミが入っているか外からは全く見えないため、不便を感じていた。
【課題を解決するための手段】
【０００５】
本考案は、角パイプをトラック形状に形成した枠２個を上下に配置し、前記トラック形状の上下の枠の間に２本の角パイプ状柱を対向するように接続し、前記２本の角パイプ状柱によって上下の枠を連接してスタンド部を形成し、スタンド部の上の枠にトラック形状の蓋板を載せ、使用の際、上の枠と前記蓋板との間に開いたビニール製ゴミ袋の上端を挟むように使用し、前記蓋板は、外周を巾３ｃｍ位で切り落として、蓋板の外周部と内蓋部を形成し、トラック形状の内蓋部の外周のうち、左右円弧部の頂点では５ｍｍ位を削り、内蓋部の外周の直線部はほとんど削らず、内蓋部の外周全体をなめらかな形状となるように削り、蓋板の外周部と内蓋部との間に隙間を形成し、内蓋部の裏面で直線部の中央両端に、略三角形の中空部を有する略三角形の突起部を固着し、内蓋部の裏面に直方体で棒状の軸部を配置し、前記突起部の略三角形の中空部に前記軸部を可動する程度に貫通し、軸部の両端を外周部の裏面に固着し、内蓋部の表面を手で押して内蓋部を１０度位傾けても、内蓋部の裏面に前記突起部を固着しているので内蓋部は自然に水平に戻り、内蓋部の表面を手で押して内蓋部を８０度位まで傾けると、内蓋部の前記突起部の略三角形の中空部が、外周部に固着した前記直方体の軸部の角に当たって、内蓋部はそれ以上に回転しないことにすることにより問題点を解決している。
また、上下の枠および柱を断面コ字状の金属板で成形することもできる。さらに、上下の枠に柱をねじで組み立てるようにすることもできる。
【考案の効果】
【０００６】
本考案のゴミ袋用蓋付きスタンドによると、ゴミを入れるとき、蓋を取る必要がなく、蓋板の内蓋部を軽く手で押せば、蓋板の内蓋部が少し回転し、蓋板の外周部と内蓋部との間に隙間ができ、ゴミ袋にゴミを入れることができる。いわば、ワンタッチでゴミを入れることができるわけである。また、使用中、ゴミ袋にどの程度ゴミがたまっているかは、外からゴミ袋が丸見えなので、一目瞭然である。さらに、ゴミが一杯になって、ゴミ袋を取り出すときは、スタンドの上の枠の下からゴミ袋を掴み引っ張ると、するーと取り出すことができる。さらにまた、スタンド部を組み立て式にもできる。
また、本考案の構造が大変簡単であるので、安価に提供できる。
【図面の簡単な説明】
【０００７】
【図１】図１は、本考案の一実施例で、ゴミ袋を入れた状態の斜視図である。
【図２】図２は、本考案の一実施例で、蓋板の裏面の正面図である。
【図３】図３は、図１のイ−イ線一部断面図である。
【図４】図４は、図１のイ−イ線一部断面図で、内蓋部を８０度押した状態図と軸部周辺の拡大断面図である。
【図５】図５は、本考案の別の実施例で、スタンド部の斜視図である。
【考案を実施するための形態】
【０００８】
本考案は、角パイプをトラック形状に形成した枠２個を上下に配置し、前記トラック形状の上下の枠の間に２本の角パイプ状柱を対向するように接続し、上下の枠を連接してスタンド部を形成し、スタンド部の上の枠にトラック形状の蓋板を載せる。角パイプのトラック形状の上下の枠および角パイプ状柱は断面コの字状の金属板でも良い。上下の枠および柱はねじ止めで組み立て式でもよい。使用の際、上の枠と前記蓋板との間に開いたビニール製ゴミ袋の上端を挟むように使用する。
【０００９】
前記蓋板は、外周を巾３ｃｍ位で切り落として、蓋板の外周部と内蓋部を形成し、トラック形状の内蓋部の外周のうち左右円弧部の頂点では５ｍｍ位を削り、内蓋部の外周の直線部はほとんど削らず、内蓋部の外周全体をなめらかな形状となるように削り、蓋板の外周部と内蓋部との間に隙間を形成する。
【００１０】
内蓋部の裏面で直線部の中央両端に略三角形の中空部を有する略三角形の突起部を固着し、内蓋部の裏面に直方体で棒状の軸部を配置し、前記突起部の略三角形の中空部に前記軸部を可動する程度に貫通し、軸部の両端を外周部の裏面に固着する。前記突起部の略三角形底辺の裾野を長くして内蓋部の裏面との接地面を多くしても良い。内蓋部の表面を手で押して内蓋部を１０度位傾けても、内蓋部の裏面に前記突起部を固着しているので内蓋部は自然に水平に戻り、さらに、内蓋部の表面を手で押して内蓋部を８０度位まで傾けると、内蓋部の前記突起部の略三角形の中空部が、外周部に固着した前記直方体の軸部の角に当たって、内蓋部はそれ以上回転しないようにしたものである。
【実施例１】
【００１１】
図１および図２は、本考案のゴミ袋用蓋付きスタンドの一実施例であって、１および２は、金属製角パイプをトラック形状に形成した枠で、上の枠１および下の枠２を上下に配置し、トラック形状の上の枠１と下の枠２との間に２本の金属製角パイプ状柱３を対向するように接続して、上の枠１および下の枠２を連接してスタンド部１０を形成する。そして、スタンド部１０の上の枠１に合成樹脂製トラック形状の蓋板４を載せる。蓋板４は、外周を巾３ｃｍ位で切り落として、巾3ｃｍ位の外周部５とし、蓋板４の外周部５と内蓋部６を形成する。内蓋部６の外周のうち左右円弧部６ａの頂点では５ｍｍ位を削り、内蓋部６の外周の直線部６ｂはほとんど削らず、内蓋部６の外周全体をなめらかな形状となるように削り、蓋板４の外周部５と内蓋部６との間に隙間を形成する。
【００１２】
図２、図３および図４で示すように、内蓋部６の裏面で直線部６ｂの中央両端に略三角形の中空部７を有する略三角形の突起部８を固着し、内蓋部６の裏面に直方体で棒状の軸部９を配置し、突起部８の略三角形の中空部７に軸部９を可動する程度に貫通し、軸部９の両端を外周部５の裏面に固着する。
内蓋部６の表面を手で押して内蓋部６を１０度位傾けても、内蓋部６の裏面に突起部８を固着しているので内蓋部６は自然に水平に戻る。そして、内蓋部６の表面を手で押して内蓋部６を８０度位まで傾けると、内蓋部６の突起部８の略三角形の中空部７が、外周部５に固着した直方体の軸部９の角に当たって、内蓋部６はそれ以上回転しないようにしたものである。１５は、外周部５に付けたスットパー部で、蓋板４が上の枠１から外れないようにしたものである。
【００１３】
本考案の使用時は、図１で示すように、蓋板４を取り、上の枠１から開いたビニール製ゴミ袋Ａを入れ、ビニール製ゴミ袋Ａの上端を上の枠１の上まで出し、蓋板４を上の枠１の上に乗せて、ビニール製ゴミ袋Ａの上端を上の枠１と蓋板４とで挟む。
そして、内蓋部６を手で少し押して、外周部５と内蓋部６との隙間にゴミを入れる。
ビニール製ゴミ袋Ａにゴミが一杯になると、ビニール製ゴミ袋Ａをスタンド部１０の上の枠１の下から引っ張り出すと良い。
【実施例２】
【００１４】
図５に示すように、本考案のスタンド部の別の実施例で、上の枠１１、下の枠１２および２本の柱１３は、角パイプでなく、断面コ字状の金属板である。そして、２本の柱１３には上の枠１１と下の枠１２をはめ込むための切込みが入っていて、上の枠１１と下の枠１２にビス止めをして、スタンド部２０を組み立て式にしても良く、また、上の枠１１と下の枠１２に切り込みを入れて２本の柱１３をはめ込み、ねじ止めをしてスタンド部２０を組み立て式にしても良い。さらに、実施例２は、２本の柱１３を実施例１とは別の位置で対向するように、上の枠１１および下の枠１２を連接してスタンド部２０を形成したものである。
【産業上の利用可能性】
【００１５】
ゴミ袋用蓋付きゴミ箱において、ポリバケツの中にゴミ袋を入れ、ポリバケツの蓋をしていたが、本考案のゴミ袋用蓋付きスタンドなら、室内または室外でゴミ袋を利用したゴミ箱として利用することができる。しかも、室内でもゴミ箱が目立たなく、違和感がない。さらに、スタンド部の角パイプ状または断面コ字状の柱にいろいろなデザインを施すことによって、おしゃれなスタンドになり、室内での移動も軽くて簡単である。
また、本考案は、構造が簡単で、安価に製造できる。
【符号の説明】
【００１６】
１、１１・・上の枠
２，１２・・下の枠
３、１３・・柱
４・・・・蓋板
５・・・・外周部
６・・・・内蓋部
６ａ・・・円弧部
６ｂ・・・直線部
７・・・・中空部
８・・・・突起部
９・・・・軸部
１０，２０・・スタンド部
【図１】
0003155512.tif 000003
【図２】
0003155512.tif 000004
【図３】
0003155512.tif 000005
【図４】
0003155512.tif 000006
【図５】
0003155512.tif 000007